(57)【要約】【課題】スパイラルロータへの土等の付着を抑制し、スパイラル刃の切れ味が低下し難いスパイラルロータを提供する。【解決手段】スパイラルロータ２０は、管理機１の車軸に装着されて車軸の回転に伴って回転する。スパイラルロータ２０は、車軸に同軸上に装着される回転中心軸３１と、該回転中心軸３１の軸方向両側に回転中心軸３１の軸芯方向に対して略直交する平面に沿って設けられた一対の円環状のリング２１と、これらのリング２１間に接続されたスパイラル刃２７とを有する。スパイラル刃２７は、その長手方向両端部が対応するリング２１の先端部に横方向から支持されている。【選択図】  図１
2014027907.tif 000002
【特許請求の範囲】
【請求項１】
管理機の車軸に装着されて該車軸の回転に伴って回転するスパイラルロータであって、
前記車軸に同軸上に装着される回転中心軸と、
該回転中心軸の軸方向両側に前記回転中心軸の軸芯方向に対して略直交する平面に沿って設けられた一対の支持部と、
前記一対の支持部間に接続されたスパイラル刃とを有し、
前記スパイラル刃は、その長手方向両端部が対応する支持部の内面に横方向から支持されている
ことを特徴とするスパイラルロータ。
【請求項２】
前記支持部は、円環状に形成され、
前記スパイラル刃は、その長手方向両端部が対応する支持部の内面に横方向から接続支持されて、前記一対の支持部の各外周の径方向外側の位置間に延びている
ことを特徴とする請求項１に記載のスパイラルロータ。
【請求項３】
前記支持部は、円板状に形成され、
前記スパイラル刃は、その長手方向両端部が対応する支持部の径方向外側端部の内面に横方向から接続支持されて、前記一対の支持部の各外周の径方向外側の位置間に延びている
ことを特徴とする請求項１に記載のスパイラルロータ。
【請求項４】
前記支持部は、円板状に形成され、
前記支持部の外周には、周方向に所定間隔を有して前記回転中心軸に対して放射状に延びる複数の突出板部が設けられ、
前記スパイラル刃は、その長手方向端部が前記突出板部の先端部の内面に横方向から接続支持されている
ことを特徴とする請求項１に記載のスパイラルロータ。
【発明の詳細な説明】
【技術分野】
【０００１】
本発明は、管理機に装着されるスパイラルロータに関する。
【背景技術】
【０００２】
従来から、スパイラルロータを装着した管理機によって草刈り作業が行われている。このスパイラルロータは、特許文献１に記載されているように、両側に配置された一対のリングと、これらのリング同士を連結する複数のスパイラル刃と、一方のリングにボスを介して接続されて管理機の車軸に連結されるボスとを有してなる。
【０００３】
スパイラル刃は帯状に形成され、スパイラル刃の短手方向一方側には刃部が長手方向に延びて形成されている。スパイラル刃の長手方向一端部は一方のリングの外周上面に固着され、スパイラル刃の他端部は他方のリングの外周上面に固着されている。このため、管理機が圃場に設置された状態で刃部が回転方向前側になるようにスパイラルロータが回転すると、スパイラルロータの回転に伴って管理機が前進走行するとともに、スパイラル刃によって圃場の草等を刈り取ることができる。
【先行技術文献】
【特許文献】
【０００４】
【特許文献１】実開昭６３−１６７８０３号公報
【発明の概要】
【発明が解決しようとする課題】
【０００５】
この従来のスパイラルロータに設けられたスパイラル刃は、その長手方向端部がリングの外周上に載置された状態で接続されて、その回転方向前側に段差が形成されている。このため、スパイラルロータの回転時に段差に接触した圃場の土や刈り取った草が溜まり易くなる。この段差に土等が溜まると、スパイラル刃の土等に対する食い込みが規制されて浅くなり、その結果、スパイラル刃の切れ味が悪くなる。
【０００６】
本発明は、このような問題を解決するためになされたものであり、スパイラルロータへの土等の付着を抑制し、スパイラル刃の切れ味が低下し難いスパイラルロータを提供することを目的とする。
【課題を解決するための手段】
【０００７】
このような課題を解決するため、本発明は、管理機の車軸に装着されて該車軸の回転に伴って回転するスパイラルロータであって、車軸に同軸上に装着される回転中心軸と、該回転中心軸の軸方向両側に回転中心軸の軸芯方向に対して略直交する平面に沿って設けられた一対の支持部と、一対の支持部間に接続されたスパイラル刃とを有し、スパイラル刃は、その長手方向両端部が対応する支持部の内面に横方向から支持されていることを特徴とする（請求項１）。
【０００８】
また、本発明の支持部は、円環状に形成され、スパイラル刃は、その長手方向両端部が対応する支持部の内面に横方向から接続支持されて、一対の支持部の各外周の径方向外側の位置間に延びていることを特徴とする（請求項２）。
【０００９】
また、本発明の支持部は、円板状に形成され、スパイラル刃は、その長手方向両端部が対応する支持部の径方向外側端部の内面に横方向から接続支持されて、一対の支持部の各外周の径方向外側の位置間に延びていることを特徴とする（請求項３）。
【００１０】
また、本発明の支持部は、円板状に形成され、支持部の外周には、周方向に所定間隔を有して回転中心軸に対して放射状に延びる複数の突出板部が設けられ、スパイラル刃は、その長手方向端部が突出板部の先端部の内面に横方向から接続支持されていることを特徴とする（請求項４）。
【発明の効果】
【００１１】
本発明に係わるスパイラルロータによれば、上記特徴を有することで、スパイラルロータへの土等の付着を抑制し、スパイラル刃の切れ味が低下し難いスパイラルロータを提供することができる。
【図面の簡単な説明】
【００１２】
【図１】本発明の一実施形態に係わるスパイラルロータが装着された管理機の前側斜視図を示す。
【図２】この管理機の部分正面図を示す。
【図３】本願のスパイラルロータと比較対象となるスパイラルロータの部分平面図を示す。
【図４】本発明の他の実施形態に係わるスパイラルロータの部分平面図を示す。
【図５】本発明の他の実施形態に係わるスパイラルロータの平面図を示す。
【図６】本発明の他の実施形態に係わるスパイラルロータの側面図を示す。
【発明を実施するための形態】
【００１３】
以下、本発明のスパイラルロータを図１〜図３に基づいて説明する。本実施の形態は、歩行型の管理機に着脱可能なスパイラルロータについて説明する。先ず、スパイラルロータを説明する前に管理機について、図１及び図２を参照しながら概説する。
【００１４】
管理機１は、図１（前側斜視図）及び図２（部分正面図）に示すように、機体フレーム３上にエンジン４を有し、機体フレーム３の幅方向中央部に下方へ延びるミッションケース５を有し、ミッションケース５の幅方向両側に一対の車軸７が突出し、これらの各車軸７にスパイラルロータ２０、２０'を取り付けて構成されている。機体フレーム３上にはエンジン４を覆うカバー部９が設けられている。機体フレーム３の後部には機体フレーム３の幅方向両側から後方斜め上方へ延びる一対の操作ハンドル１１が設けられている。エンジン４は、操作ハンドル１１に設けられたレバー１１ａの操作によって駆動して、車軸７を介してスパイラルロータ２０、２０'を回転させる。
【００１５】
次に、スパイラルロータ２０、２０'について説明する。なお、スパイラルロータ２０、２０'はミッションケース５の幅方向両側に設けられているが、これらは左右対称な構造であるので、幅方向左側に設けられるスパイラルロータ２０について説明し、スパイラルロータ２０'についてはスパイラルロータ２０と同一態様部分については対応する符号を附してその説明を省略する。
【００１６】
スパイラルロータ２０は、車軸７に装着された回転中心軸３１と、回転中心軸３１の軸芯方向両側に配置された一対の支持部２１、２１と、これらの支持部２１、２１間に連結された複数のスパイラル刃２７とを有してなる。
【００１７】
回転中心軸３１は内部が中空な孔部を有して筒状に形成され、この孔部の一方側の開口部にミッションケース５の車軸７が挿入されて、これら回転中心軸３１及び車軸７間に挿通された図示しない連結ピンによって、車軸７に回転中心軸３１が連結されている。このため、連結ピンを回転中心軸３１及び車軸７から抜脱することで、車軸７からスパイラルロータ２０を取り外することができる。
【００１８】
支持部２１は、円環状に形成されたリング２１ａと、リング２１ａと回転中心軸３１とを繋ぐ複数のスポーク２１ｂとを有してなる。リング２１ａは、複数のスポーク２１ｂによって回転中心軸３１と同軸上に配設されている。リング２１ａの半径は、一対のリング間に接続されたスパイラル刃２７の回転半径よりも小さい。このため、スパイラル刃２７による草等の刈り取り時に、リング２１ａが邪魔することはない。
【００１９】
スパイラル刃２７の長手方向両端部は、対応するリング２１ａの内面に溶接によって接続されている。つまり、スパイラル刃２７の長手方向両端部は、リング２１ａの内面に横方向から接続支持されている。スパイラル刃２７の長手方向両側端部の裏面側には、土等が突き抜け可能な空間Ｓが形成されている。このため、スパイラル刃２７の長手方向端部周辺に土や草等が溜まる虞はない。
【００２０】
また、スパイラル刃２７は一対のリング２１ａの各径方向外側の位置間に延びているので、スパイラル刃２７の回転軌跡はリング２１ａの外径よりも外側に位置する。従って、スパイラルロータ２０の回転時には、スパイラル刃２７が圃場の表面に接触する際に、リング２１ａによってスパイラル刃２７の接触深さを一定にすることができる。また、リング２１ａ及びこれに繋がるスポーク２１ｂはスパイラル刃２７と比較して厚さが大きいので、スパイラルロータ２０の強度を高めることができる。
【００２１】
次に、スパイラルロータ２０、２０'の回転によって、圃場の草等を刈り取る場合のスパイラルロータ２０、２０'の作動について、図２、図３を参照しながら説明する。なお、図３は、本願のスパイラルロータ２０、２０'と比較対象としたスパイラルロータ４０の部分平面図を示している。
【００２２】
先ず、比較対象としたスパイラルロータ４０について概説する。このスパイラルロータ４０は、図３に示すように、幅方向両側に一対の円環状のリング４１、４１が配置され、これらのリング４１、４１の外周上にスパイラル刃４３の両端部が溶接等によって固着されている。リング４１は断面が円形状の棒状部材を環状に折り曲げて形成されている。リング４１、４１に固着されたスパイラル刃４３の両端部は、その回転方向（矢印Ｂ方向）後側がリング４１、４１の外周面上に固着され、その回転方向前側がリング４１、４１の外周面から離反するように延びている。幅方向一方側のリング４１の中央部にはリング４１の軸芯方向内側へ延びて管理機１の車軸７に装着可能なボス４５が複数のスポーク４６を介してリング４１に支持されている。
【００２３】
この比較対象としたスパイラルロータ４０のスパイラル刃４３は、その長手方向端部の回転方向前側が回転方向に沿ってリング４１から離反する方向に延びているので、スパイラル刃４３の端部内側とリング４１の表面との間に内側に空間部４７ａを有した段差４７が形成されている。このため、スパイラルロータ４０の回転時に、この段差４７の空間部４７ａ内に土や刈り取った草等が溜まる虞がある。
【００２４】
これに対して、本願のスパイラルロータ２０、２０'のスパイラル刃２７は、その長手方向両端部が、図２に示すように、リング２１ａの内面に接続されてリング２１ａの外周の外側へ延びて他方のリング２１ａの内面に接続されて、その長手方向端部の裏面側に土等が突き抜け可能な空間Ｓを形成している。このため、スパイラルロータ２０、２０'の回転時に、土や刈り取った草は空間Ｓ内を突き抜けるように移動するので、スパイラル刃２７の長手方向両端部周辺に土や草等が溜まる虞はなく、スパイラル刃２７の土等に対する食い込みが浅くなることを防止することができる。従って、スパイラルロータ２０、２０'への土等の付着が抑制されて、スパイラル刃２７の切れ味が低下し難いスパイラルロータ２０、２０'を提供することができる。
【００２５】
なお、前述した実施形態のスパイラルロータ２０は幅方向両側の支持部２１が円環状のリング２１ａを有したものを示したが、図４（部分平面図）に示すように、一方側（図面では軸方向左側）の支持部２１が円板状に形成されたものでもよい。この場合、円板状の支持部２１はその半径ｒｓが他方側の支持部２１のリング２１ａの半径ｒａと略同じ大きさを有する。また、スパイラル刃２７は、その長手方向端部が円板状の支持部２１の径方向外側端部の内面に横方向から接続支持されて、一対の支持部２１、２１の各外周の径方向外側の位置間に延びる。
【００２６】
このため、スパイラル刃２７は、円板状の支持部２１側の端部の裏面側には、土等が突き抜け可能な空間Ｓが形成されて、スパイラル刃２７の長手方向端部周辺に土や草等が溜まる虞を無くすことができる。
【００２７】
また、スパイラルロータ２０の支持部２１は、図５（平面図）及び図６（側面図）に示すように、側面視略円形状に形成された円板部２１ｃの外周に周方向に所定間隔を有してスパイラルロータ２０の回転方向前側に傾斜して放射状に延びる複数の突出板部２１ｄを有して形成されたものでもよい。
【００２８】
突出板部２１ｄは、先端側へ進むに従って幅が小さくなるように形成されている。なお、突出板部２１ｄの突出方向は回転中心軸３１に対して直交する方向に延びるように形成されたり、スパイラルロータ２０の回転方向（矢印Ａ方向）後側に傾斜して放射状に延びたりしてもよい。この突出板部２１ｄの先端部の内面にスパイラル刃２７の長手方向端部が溶接によって固着されている。つまり、スパイラル刃２７の長手方向端部は、突出板部２１ｄの先端部内側に横方向から支持された状態で固着されている。
【００２９】
スパイラル刃２７の幅寸法は突出板部２１ｄの先端部の幅寸法と略同一である。このため、スパイラル刃２７は、突出板部２１ｄに対して連続的に繋がり、スパイラル刃２７の長手方向端部の裏面側には、土等が突き抜け可能な空間Ｓが形成されている。このため、スパイラル刃２７の長手方向端部周辺に土や草等が溜まる虞を無くすことができる。また、突出板部２１ｄは、スパイラルロータ２０の回転時に、突出板部２１ｄの回転方向前側端部が耕耘爪の縦刃部のように土中に切り込むように回転するので、突出板部２１ｄに土や草等が付着する虞もない。
【００３０】
なお、前述した実施例では、図２に示すように、スパイラルロータ２０、２０'の両側に配設された支持部２１，２１に回転中心軸３１の軸芯方向両側を固定した場合を示したが、図４に示すボス４５のように、回転中心軸３１の軸方向長さを短くしたものを一方側の支持部２１に固定してもよい。また、前述した実施例では、図１に示すように、スパイラルロータ２０、２０'が装着される管理機として歩行型の管理機１を例にしたが、自走式の管理機でもよい。
【符号の説明】
【００３１】
１  管理機
７  車軸
２０、２０'  スパイラルロータ
２１  支持部
２１ｄ  突出板部
２７  スパイラル刃
３１  回転中心軸
【図１】
2014027907.tif 000003
【図２】
2014027907.tif 000004
【図３】
2014027907.tif 000005
【図４】
2014027907.tif 000006
【図５】
2014027907.tif 000007
【図６】
2014027907.tif 000008